(57)【要約】【課題】  本発明の実施形態は、電池ラッピングフィルム、電池コンポーネント、端末を提供する。【解決手段】  電池と電池ラッピングフィルムとを接続するため、電池ラッピングフィルムの第１の面に、第１の接着剤ドット領域と第２の接着剤ドット領域とが配される。第１の接着剤ドット領域は、筐体の第１の面内の突出領域に対応し、第２の接着剤ドット領域は、筐体の第１の面内の凹所領域に対応する。本発明の実施形態にて提供される電池コンポーネントによれば、疎な接着剤ドットが、筐体上の突出領域に対応するラッピングフィルム上に配置され、密な接着剤ドットが、筐体上の凹所領域に対応するラッピングフィルム上に配置され、電池コンポーネントの電池が均一に力を受けて取り外し容易であることが確保される。【選択図】  図２
2020174049.tif 000002
【特許請求の範囲】
【請求項１】
電池と、電池ラッピングフィルムと、筐体とを有する端末であって、
前記電池ラッピングフィルムは、
前記電池に接続された第１表面と、
前記第１表面上に配された第１の接着剤ドット領域及び第２の接着剤ドット領域と、
を有し、
前記第１の接着剤ドット領域は、前記筐体の面内の突出領域に対応し、前記第２の接着剤ドット領域は、前記筐体の前記面内の凹所領域に対応し、
前記第１の接着剤ドット領域は接着剤ドット疎領域であり、前記第２の接着剤ドット領域は接着剤ドット密領域であり、単位面積当たりの前記第１の接着剤ドット領域内の接着剤ドットの分注量が、単位面積当たりの前記第２の接着剤ドット領域内の接着剤ドットの分注量よりも少ない、
端末。
【請求項２】
前記第１の接着剤ドット領域内の各接着剤ドットの分注量が、前記第２の接着剤ドット領域内の各接着剤ドットの分注量よりも少ない、請求項１に記載の端末。
【請求項３】
前記第１の接着剤ドット領域内の各接着剤ドットの分注量が、前記第２の接着剤ドット領域内の各接着剤ドットの分注量と同じであり、前記第１の接着剤ドット領域内の接着剤ドットの数が、前記第２の接着剤ドット領域内の接着剤ドットの数よりも少ない、
請求項１に記載の端末。
【請求項４】
前記第１の接着剤ドット領域内の分注量はゼロである、請求項１乃至３のいずれか一項に記載の端末。
【請求項５】
前記第１の接着剤ドット領域内の接着剤ドットは第１の材料を使用し、前記第２の接着剤ドット領域内の接着剤ドットは第２の材料を使用している、請求項１乃至４のいずれか一項に記載の端末。
【請求項６】
電池と、電池ラッピングフィルムと、筐体とを有する端末であって、
前記電池ラッピングフィルムは、
前記電池に接続された第１表面と、
前記第１表面上に配された第１の接着剤ドット領域及び第２の接着剤ドット領域と、
を有し、
前記第１の接着剤ドット領域は、前記筐体の面内の突出領域に対応し、前記第２の接着剤ドット領域は、前記筐体の前記面内の凹所領域に対応し、
前記第１の接着剤ドット領域は接着剤ドット疎領域であり、前記第２の接着剤ドット領域は接着剤ドット密領域であり、前記第１の接着剤ドット領域内の各接着剤ドットの分注量が、前記第２の接着剤ドット領域内の各接着剤ドットの分注量よりも少ない、
端末。
【請求項７】
前記第１の接着剤ドット領域内の接着剤ドットは第１の材料を使用し、前記第２の接着剤ドット領域内の接着剤ドットは第２の材料を使用している、請求項６に記載の端末。
【請求項８】
前記第１の接着剤ドット領域内の分注量はゼロである、請求項６に記載の端末。
【発明の詳細な説明】
【技術分野】
【０００１】
この出願は、２０１７年１月５日に中国特許庁に出願された、「電池コンポーネント及びモバイル端末」と題された中国特許出願第２０１７１０００７８８６．６号に対する優先権を主張するものであり、その全体をここに援用する。
【０００２】
この出願の実施形態は、端末の分野に関し、特に、電池ラッピングフィルム、電池コンポーネント、及び端末に関する。
【背景技術】
【０００３】
現在、端末に関する電池再利用技術が、コストを削減する一手段である。電池再利用技術は、ラッピングフィルムを用いることによって電池を包み込み、そして、該ラッピングフィルムを電池から引き剥がした後にその電池をなおも使用することができる技術である。この技術において、電池は、取り外された後に再利用されることができる。従来、電池の力に耐えるために、図１に示すように、電池に使用されるラッピングフィルム上に均一なドット接着剤（すなわち、分注（dispensing）ドット）が設計されている。通常、ラッピングフィルムは内表面と外表面との２つの表面を有する。内表面を第１表面として参照し、外表面を第２表面として参照する。ラッピングフィルムの第１表面上に均一なドット接着剤が配置され、ラッピングフィルムの第１表面が電池に貼り付けられ、そして、ラッピングフィルムの第２表面上をローラが転がることで、ラッピングフィルムを用いることによる電池の包み込みのプロセスが完了する。ラッピングフィルムを用いることによって電池が包み込まれた後に、電池とラッピングフィルムとが一緒に電池コンポーネントの筐体内に設置される。
【０００４】
しかしながら、電池コンポーネントの内部のフラットケーブルを収容するために、電池コンポーネントの筐体は凹凸構造として構成され、凹所にされた位置にフラットケーブルが収容される。凹凸構造を有する筐体では、均一な分注ドットを持ったラッピングフィルムが筐体に接触するとき、筐体上の突出位置は相対的に高い接着強度を有し、凹所位置は相対的に低い接着強度を有する。筐体が凸凹な表面を持っていて均一に力を受けないため、電池からラッピングフィルムを引き剥がすプロセスにおいて、電池は均一に力を受けない。結果として、電池の表面が損傷され、また、電池コンポーネントが転がる又は落下するときに電池が変形されてしまう。
【発明の概要】
【０００５】
本発明の実施形態は、電池ラッピングフィルム、電池コンポーネント、端末を提供する。電池コンポーネントの電池ラッピングフィルム上の疎な接着剤ドット領域が、電池コンポーネントの筐体上の突出領域に対応し、電池ラッピングフィルム上の密な接着剤ドット領域が、電池コンポーネントの筐体上の凹所領域に対応して、電池コンポーネント内の電池が均一に力を受けて取り外し容易になることが確保される。
【０００６】
第１の態様に従って、電池ラッピングフィルムが提供される。電池を電池ラッピングフィルムに接続するため、電池ラッピングフィルムの第１の面に、第１の接着剤ドット領域と第２の接着剤ドット領域とが設けられる。
【０００７】
第１の接着剤ドット領域は、筐体の第１の面内の突出領域に対応し、第２の接着剤ドット領域は、筐体の第１の面内の凹所領域に対応する。
【０００８】
オプションの一実装において、第１の接着剤ドット領域内の接着剤ドットの分注量が、第２の接着剤ドット領域内の接着剤ドットの分注量よりも少ない。
【０００９】
オプションの一実装において、第１の接着剤ドット領域内の各接着剤ドットの分注量が、第２の接着剤ドット領域内の各接着剤ドットの分注量と異なるとき、第１の接着剤ドット領域内の各接着剤ドットの分注量が、第２の接着剤ドット領域内の各接着剤ドットの分注量よりも少ない。
【００１０】
オプションの一実装において、第１の接着剤ドット領域内の各接着剤ドットの分注量が、第２の接着剤ドット領域内の各接着剤ドットの分注量と同じであるとき、第１の接着剤ドット領域内の接着剤ドットの数が、第２の接着剤ドット領域内の接着剤ドットの数よりも少ない。
【００１１】
オプションの一実装において、第１の接着剤ドット領域内の分注量はゼロである。
【００１２】
オプションの一実装において、第１の接着剤ドット領域内の接着剤ドットは第１の材料を使用し、第２の接着剤ドット領域内の接着剤ドットは第２の材料を使用している。
【００１３】
第２の態様に従って、電池コンポーネントが提供される。電池コンポーネントは、電池と、筐体と、第１の態様に従った電池ラッピングフィルムとを含み得る。
【００１４】
第３の態様に従って、端末が提供される。端末は、第２の態様に従った電池コンポーネントを含み得る。
【図面の簡単な説明】
【００１５】
【図１】ラッピングフィルムの概略的な構成図である。
【図２】本発明の一実施形態に従った電池コンポーネントの断面の概略的な構成図である。
【図３】本発明の一実施形態に従ったラッピングフィルムの概略的な構成図である。
【図４】本発明の一実施形態に従った別のラッピングフィルムの概略的な構成図である。
【図５】本発明の一実施形態に従った更なる別のラッピングフィルムの概略的な構成図である。
【図６】本発明の一実施形態に従った更なる別のラッピングフィルムの概略的な構成図である。
【図７】本発明の一実施形態に従った更なる別のラッピングフィルムの概略的な構成図である。
【発明を実施するための形態】
【００１６】
以下、添付の図面及び実施形態を参照して、この出願の技術的ソリューションを更に詳細に説明する。
【００１７】
この出願にて提供される電池コンポーネントは、端末に適用可能であるとすることができ、端末は、例えば携帯電話（又は“セルラー”電話と呼ばれる）、モバイルコンピュータ、又はスマートウォッチなどのユーザ機器（User  Equipment、ＵＥ）とし得る。
【００１８】
図２は、本発明の一実施形態に従った電池コンポーネント２００の断面の概略的な構成図である。図２に示すように、電池コンポーネント２００は、電池２１０と、電池ラッピングフィルム２２０と、筐体２３０とを含み得る。
【００１９】
電池ラッピングフィルム２２０の第１表面２２０Ａに、第１の接着剤ドット領域２２０Ｘと第２の接着剤ドット領域２２０Ｙとが配され、第１の接着剤ドット領域２２０Ｘ及び第２の接着剤ドット領域２２０Ｙに分注（dispensing）ドットが配置され、それらの分注ドットを用いて電池２１０と電池ラッピングフィルム２２０とが接着される。電池ラッピングフィルム２２０は、例えば、樹脂材料で作製され得る。
【００２０】
電池ラッピングフィルム２２０で包まれた電池２１０が、筐体２３０の第１の面２３０Ａに配置される。第１の接着剤ドット領域２２０Ｘは、筐体２３０の第１の面２３０Ａ内の突出領域２３０Ｙに対応し、第２の接着剤ドット領域２２０Ｙは、筐体２３０の第１の面２３０Ａ内の凹所領域２３０Ｘに対応する。凹所領域２３０Ｘは、電力伝送に用いられる導線を収容するために使用される。筐体２３０は、金属材料で作製され得る。
【００２１】
オプションで、電池２１０が均一に力を受けることを確保するため、電池ラッピングフィルム２２０の第１表面２２０Ａ上の第１の接着剤ドット領域２２０Ｘ内の各接着剤ドットの分注量は、第２の接着剤ドット領域２２０Ｙ内の各接着剤ドットの分注量よりも少ない。換言すれば、第１の接着剤ドット領域２２０Ｘは、疎な接着剤ドット領域として参照することができ、第２の接着剤ドット領域２２０Ｙは、密な接着剤ドット領域として参照することができる。
【００２２】
理解され得ることには、第１の接着剤ドット領域２２０Ｘ及び第２の接着剤ドット領域２２０Ｙの接着剤ドットは、同じ材料を用いてもよいし、あるいは異なる材料を用いてもよい。
【００２３】
オプションで、第１の接着剤ドット領域２２０Ｘ内の各接着剤ドットの分注量が、第２の接着剤ドット領域２２０Ｙ内の各接着剤ドットの分注量と同じであるとき、第１の接着剤ドット領域内の接着剤ドットの数は、第２の接着剤ドット領域内の接着剤ドットの数よりも少ない。
【００２４】
図３に示すように、第２の接着剤ドット領域２２０Ｙ内には塗りつぶした接着剤ドットが存在しており、第１の接着剤ドット領域２２０Ｘ内には塗りつぶしていない接着剤ドットが存在している。第１の接着剤ドット領域２２０Ｘ内の塗りつぶしていない各接着剤ドットの分注量は、第２の接着剤ドット領域２２０Ｙ内の塗りつぶした各接着剤ドットのそれと同じであり、第１の接着剤ドット領域２２０Ｘ内の塗りつぶしていない接着剤ドットの行数は、第２の接着剤ドット領域２２０Ｙ内の塗りつぶした接着剤ドットの行数よりも少ない。すなわち、第１の接着剤ドット領域２２０Ｘ内の塗りつぶしていない接着剤ドットの数は、第２の接着剤ドット領域２２０Ｙ内の塗りつぶした接着剤ドットの数よりも少ない。
【００２５】
オプションで、第１の接着剤ドット領域２２０Ｘ内の各接着剤ドットの分注量が、第２の接着剤ドット領域２２０Ｙ内の各接着剤ドットの分注量と異なるとき、第１の接着剤ドット内の各接着剤ドットの分注量は、第２の接着剤ドット領域内の各接着剤ドットの分注量よりも少ない。図４に示すように、第２の接着剤ドット領域２２０Ｙ内には塗りつぶした接着剤ドットが存在しており、第１の接着剤ドット領域２２０Ｘ内には塗りつぶしていない接着剤ドットが存在している。第１の接着剤ドット領域２２０Ｘと第２の接着剤ドット領域２２０Ｙとにおいて、接着剤ドットの行数は同じである。各行において、第１の接着剤ドット領域２２０Ｘ内の塗りつぶしていない各接着剤ドットの円中心の高さと、塗りつぶした各接着剤ドットの円中心の高さとは、座標系のｙ軸上で同じであり、そして、塗りつぶした各接着剤ドットの分注量は、塗りつぶしていない各接着剤ドットの分注量よりも多い。
【００２６】
理解され得ることには、図３から図５に示す内容から、第１表面２２０Ａ上の第１の接着剤ドット領域２２０Ｘ及び第２の接着剤ドット領域２２０Ｙにおける接着剤ドットの位置及び数量は、筐体２３０上の凹所領域２３０Ｘ及び突出領域２３０Ｙの形状とともに変わり得ることが学習され得る。図５に示すように、筐体２３０の第１の面２３０Ａに４つの突出領域２３０Ｙが配置され、第１の面２３０Ａの残りの部分に凹所領域２３０Ｘが配置されている。故に、突出領域２３０Ｙに対応する４つの第１の接着剤ドット領域２２０Ｘが、電池ラッピングフィルム２２０の第１表面２２０Ａ上に配され、凹所領域２３０Ｘに対応する第２の接着剤ドット領域２２０Ｙが、第１表面２２０Ａの残りの部分上に配され、そして、第１の接着剤ドット領域２２０Ｘ内の塗りつぶしていない各接着剤ドットの分注量は、第２の接着剤ドット領域２２０Ｙ内の塗りつぶした各接着剤ドットの分注量よりも少ない。換言すれば、第１の接着剤ドット領域は、疎な接着剤ドット領域として参照することができ、第２の接着剤ドット領域は、密な接着剤ドット領域として参照することができる。
【００２７】
オプションで、図６及び図７に示すように、電池ラッピングフィルム２２０の第１表面２２０Ａ上の第１の接着剤ドット領域には、ゼロ個の塗りつぶしていない接着剤ドットが存在してもよい。
【００２８】
なお、この実施形態における電池コンポーネントの電池ラッピングフィルムの第１表面２２０Ａ上の第１の接着剤ドット領域及び第２の接着剤ドット領域における接着剤ドットの位置、数量、及び形状は、図３から図７に示した位置、数量、及び形状に限定されず、他の形態にあってもよい。これは、本発明のこの実施形態において限定されることではない。
【００２９】
以上のことから学習され得ることには、本発明のこの実施形態にて提供される電池コンポーネントによれば、筐体の突出領域に対応する電池ラッピングフィルム上に疎な接着剤ドットが分注され、筐体の凹所領域に対応するラッピングフィルム上に密な接着剤ドットが分注され、電池コンポーネントの電池が均一に力を受けて取り外し容易になることが確保される。
【００３０】
本発明の一実施形態は更に電池コンポーネントを提供する。このコンポーネントは、電池と、筐体と、上述の実施形態に記載の電池ラッピングフィルムとを含む。
【００３１】
さらに、本発明の一実施形態は更に端末を提供する。この端末は、上述の実施形態に記載の電池コンポーネントを含む。
【００３２】
当業者が更に認識し得ることには、この明細書に開示された実施形態にて記述された例と組み合わせて、ユニット及びアルゴリズムステップが、エレクトロニクスハードウェア、コンピュータソフトウェア、又はこれらの組み合わせによって実装され得る。ハードウェアとソフトウェアとの間の互換性を明瞭に記述するために、以上では概して、機能に従って各例の構成とステップとを記述した。これらの機能がハードウェアによって実行されるのかソフトウェアによって実行されるのかは、技術的ソリューションの設計制約条件及び具体的な用途に依存する。当業者は、具体的な用途ごとに、記述された機能を実装するために異なる方法を使用することができるが、その実装はこの出願の範囲を超えるものと見なされるべきでない。
【００３３】
当業者が理解し得ることには、上述の実施形態の方法の各々におけるステップの全て又は一部は、プロセッサに命令するプログラムによって実装され得る。上述のプログラムは、コンピュータ読み取り可能記憶媒体に格納され得る。記憶媒体は、例えば、ランダムアクセスメモリ、読み出し専用メモリ、フラッシュメモリ、ハードディスク、ソリッドステートドライブ、磁気テープ（magnetic  tape）、フロッピーディスク（floppy  disk）、光ディスク（optical  disc）、又はこれらの任意の組み合わせなどの、非一時的（non-transitory）な媒体とし得る。
【００３４】
以上の説明は、単に、この出願の特定の実装の例であり、この出願の保護範囲を限定することを意図したものではない。この出願にて開示された技術範囲内で当業者によって容易に考え付かれる如何なる変形又は置換も、この出願の保護範囲に入るものである。故に、この出願の保護範囲は、請求項の保護範囲次第のものである。
【図１】
2020174049.tif 000003
【図２】
2020174049.tif 000004
【図３】
2020174049.tif 000005
【図４】
2020174049.tif 000006
【図５】
2020174049.tif 000007
【図６】
2020174049.tif 000008
【図７】
2020174049.tif 000009
【外国語明細書】
2020174049000001.pdf